(57)【特許請求の範囲】
【請求項１】
電子デバイスのアンテナであって、前記電子デバイスが、金属シェルを含み、前記アンテナが、
前記金属シェルによって形成され、複数のスロットを含む、前記金属シェルの上下方向に貫通するスロット群を有する放射面と；
前記金属シェルの下面に配置されたボディ部分、及び前記ボディ部分の上面に配置され、前記複数のスロット中にそれぞれ充填された複数の充填部分を含む媒体充填層と；
前記媒体充填層の下面に配置された励振シートとを含み、
前記複数のスロットが、第１のスロット〜第７のスロットを含み、前記第１〜前記第３のスロットが、前記金属シェルの内外方向に延び、前記金属シェルの第１のエッジに対して垂直であり、前記第２のスロット及び前記第３のスロットの外側端部は開放しており、
前記第４のスロット〜第７のスロットは、それぞれ、前記第２のスロットに対して垂直であり；
前記第４のスロットの第１の端部が、前記第１のスロットの外側端部と接続し、前記第４のスロットが、前記第１のスロットの外側端部から前記金属シェルの第１の方向に延び；
前記第５のスロットの第１の端部が、前記第１のスロットの内側端部と接続し、前記第５のスロットが、前記第１のスロットの内側端部から前記金属シェルの第１の方向とは反対の前記金属シェルの第２の方向に延びており、前記第５のスロットの第２の端部が、前記第２のスロットの内側端部と接続し；
前記第６のスロットの第１の端部が、前記第２のスロットの内側端部と接続し、前記第６のスロットが、前記第２のスロットの内側端部から前記金属シェルの前記第２の方向に延びており；
前記第７のスロットの第１の端部が、前記第３のスロットの内側端部と接続し、前記第７のスロットが、前記第３のスロットの内側端部から前記金属シェルの前記第１の方向に延びており；
前記第１の方向が、前記金属シェルの右方向及び左方向のうちの一方であり、前記第２の方向が、前記金属シェルの前記右方向及び前記左方向のうちの他方であることを特徴とするアンテナ。
【請求項２】
前記第１のスロットが、０．８ｍｍ〜３ｍｍの幅及び５ｍｍ〜９ｍｍの長さを有し、前記第２のスロットが、０．８ｍｍ〜３ｍｍの幅及び６ｍｍ〜１０ｍｍの長さを有し、前記第３のスロットが、０．８ｍｍ〜３ｍｍの幅及び５ｍｍ〜９ｍｍの長さを有し、前記第４のスロットが、０．８ｍｍ〜３ｍｍの幅及び２５ｍｍ〜３５ｍｍの長さを有し、前記第５のスロットが、０．８ｍｍ〜３ｍｍの幅及び２４．５ｍｍ〜３４．５ｍｍの長さを有し、前記第６のスロットが、０．８ｍｍ〜３ｍｍの幅及び１９ｍｍ〜２５ｍｍの長さを有し、前記第７のスロットが、０．８ｍｍ〜３ｍｍの幅及び１８ｍｍ〜２４ｍｍの長さを有する請求項１に記載のアンテナ。
【請求項３】
前記内外方向における前記第４のスロットと前記金属シェルの前記第１のエッジとの間の距離が、３ｍｍ〜６ｍｍであり、前記内外方向における前記第５のスロットと前記金属シェルの前記第１のエッジとの間の距離が、４ｍｍ〜９ｍｍであり、前記内外方向における前記第７のスロットと前記金属シェルの前記第１のエッジとの間の距離が、３ｍｍ〜６ｍｍであり、前記内外方向における前記第７のスロットと前記第６のスロットとの間の距離が、２ｍｍ〜４ｍｍである請求項１から２のいずれかに記載のアンテナ。
【請求項４】
前記第７のスロットが、前記第２のスロットと前記第３のスロットとの間に配置され、前記金属シェルの前記第２の方向における前記第２のスロットと前記第７のスロットとの間の距離が、３ｍｍ〜７ｍｍである請求項１から３のいずれかに記載のアンテナ。
【請求項５】
前記励振シートがＬ字形を有し、前記第１のスロットに対して垂直な第１の枝部及び前記第１の枝部に対して垂直な第２の枝部を含む請求項１から４のいずれかに記載のアンテナ。
【請求項６】
前記第１の枝部が、２０ｍｍ〜３０ｍｍの長さ及び１ｍｍ〜３ｍｍの幅を有し、前記第２の枝部が５ｍｍ〜１１ｍｍの長さ及び３ｍｍ〜７ｍｍの幅を有する請求項５に記載のアンテナ。
【請求項７】
前記第１の枝部の内側エッジが、前記内外方向において、前記第４のスロットの外側エッジと同一平面上にあり、前記第２の枝部の外側エッジが、前記第４のスロットの外側に配置され、前記第２の枝部の内側エッジが、前記第４のスロットの内側に配置され、前記金属シェルの前記第１の方向において、前記第２の枝部と前記第４のスロットの第２の端部との間の距離は、９ｍｍ〜１５ｍｍである請求項５に記載のアンテナ。
【請求項８】
前記媒体充填層が、８３ｍｍ〜９３ｍｍの長さ、１１ｍｍ〜１５ｍｍの幅、及び９ｍｍ〜１５ｍｍの高さを有する請求項１から７のいずれかに記載のアンテナ。
【請求項９】
前記第４のスロット、前記第１のスロット、及び前記第５のスロットが、第１の共振分岐を形成し、前記第１の共振分岐が、第１の共振点を生成し、前記第１の共振点が、低周波数共振帯（７０４ＭＨｚ〜９６０ＭＨｚ）をカバーし；前記第６のスロットが、第２の共振分岐を形成し、前記第２の共振分岐が、第２の共振点を生成し；前記第７のスロットが、第３の共振分岐を形成し、前記第３のスロットが、第４の共振分岐を生成し、前記第３の共振分岐及び前記第４の共振分岐が、第３の共振点を生成し、前記第２の共振点及び前記第３の共振点が、共に高周波数帯（１７１０ＭＨｚ〜２６９０ＭＨｚ）をカバーする請求項１から８のいずれかに記載のアンテナ。
【請求項１０】
金属シェルと；
前記金属シェル上に配置された表示スクリーンと；
請求項１から９のいずれかに記載のアンテナとを含むことを特徴とする電子デバイス。
【請求項１１】
前記デバイスがラップトップ又はタブレットＰＣを含む請求項１０に記載の電子デバイス。
【発明の詳細な説明】
【技術分野】
【０００１】
関連出願の相互参照
本願は、その開示内容の全体を参照によって援用する、２０１４年５月２６日に中国国家知識産権局に出願の中国特許出願第２０１４２０２７３６３２．０号に対する優先権及び利益を主張するものである。
【０００２】
本開示の実施形態は、一般に、電子デバイスに関し、より詳細には、電子デバイス及び電子デバイスのアンテナに関する。
【背景技術】
【０００３】
今日では、電子デバイスのアンテナは、放射面を有し、前記放射面は、その中に二重のＬ字形スロットを有する。しかし、従来のアンテナの帯域幅には制限があり、同時にＷＬＡＮ、２Ｇ、３Ｇ、及び４Ｇの通信条件を満たすことができない。また、スロットは、広い開口を有するため、電子デバイスの外観に影響を及ぼし、それによってエレクトロニックが実際の製品に用いられることを困難にしている。
【発明の概要】
【０００４】
本開示の実施形態は、関連技術に存在する問題の少なくとも１つを少なくともある程度にまで解決することを図る。
【０００５】
本開示の第一の態様の実施形態は、電子デバイスのアンテナを提供し、前記電子デバイスは、金属シェルを含み、前記アンテナは、放射面、媒体充填層、及び励振シートを含む。前記放射面は、前記金属シェルによって形成され、前記金属シェルの上下方向に貫通するスロット群を有し、前記スロット群は、複数のスロットを含む。前記媒体充填層は、ボディ部分及び複数の充填部分を含み、前記ボディ部分は、前記金属シェルの下面に配置され、前記複数の充填部分は、前記ボディ部分の上面に配置され、それぞれ、前記複数のスロット中に充填される。前記励振シートは、前記媒体充填層の下面に配置される。
【０００６】
本開示の実施形態に係る電子デバイスのアンテナでは、金属シェルの下面に媒体充填層が配置され、且つ複数のスロット中に媒体充填層の充填部分を充填されることにより、電子デバイスの外観がスロット群の複数のスロットによって影響されることがないことを保証し、それによって前記アンテナは、実際の製品に用いられることができる。更に、前記媒体充填層は、前記励振シートを担持することができ、それによって、前記アンテナの構造をより合理的にすることができる。更に、前記放射面として、前記電子デバイスの前記金属シェルを用いることで、前記アンテナの信号を遮蔽することがなく、それによってアンテナの使用空間を改善する。前記励振シートを前記金属シェルの下面に配置することで、前記アンテナの性能を効果的に改善することができ、前記アンテナは、複数の周波数帯をカバーすることができる。
【０００７】
幾つかの実施形態においては、前記複数のスロットは、第１のスロット〜第７のスロットを含み、前記第１のスロット〜前記第３のスロットは、前記金属シェルの内外方向に延び、前記金属シェルの第１のエッジに対して垂直であり、前記第２のスロット及び前記第３のスロットの外側端部は開放しており、前記第４のスロット〜前記第７のスロットはそれぞれ、前記第２のスロットに対して垂直であり；前記第４のスロットの第１の端部は、前記第１のスロットの外側端部と接続し、前記第４のスロットは、前記第１のスロットの外側端部から前記金属シェルの第１の方向に延び；前記第５のスロットの第１の端部は、前記第１のスロットの内側端部と接続し、前記第５のスロットは、前記第１のスロットの内側端部から前記金属シェルの第１の方向とは反対の前記金属シェルの第２の方向に延びており、前記第５のスロットの第２の端部は、前記第２のスロットの内側端部と接続し；前記第６のスロットの第１の端部は、前記第２のスロットの内側端部と接続し；前記第６のスロットは、前記第２のスロットの内側端部から前記第２の方向に延びており；前記第７のスロットの第１の端部は、前記第３のスロットの内側端部と接続し、前記第７のスロットは、前記第３のスロットの内側端部から前記第１の方向に延びており、前記第１の方向は、金属シェル１０１の右方向及び左方向のうちの一方であり、前記第２の方向は、金属シェル１０１の前記右方向及び前記左方向のうちの他方である。
【０００８】
幾つかの実施形態においては、前記第１のスロットは、０．８ｍｍ〜３ｍｍの幅及び５ｍｍ〜９ｍｍの長さを有する。前記第２のスロットは、０．８ｍｍ〜３ｍｍの幅及び６ｍｍ〜１０ｍｍの長さを有する。前記第３のスロットは、０．８ｍｍ〜３ｍｍの幅及び５ｍｍ〜９ｍｍの長さを有する。前記第４のスロットは、０．８ｍｍ〜３ｍｍの幅及び２５ｍｍ〜３５ｍｍの長さを有する。前記第５のスロットは、０．８ｍｍ〜３ｍｍの幅及び２４．５ｍｍ〜３４．５ｍｍの長さを有する。前記第６のスロットは、０．８ｍｍ〜３ｍｍの幅及び１９ｍｍ〜２５ｍｍの長さを有する。前記第７のスロットは、０．８ｍｍ〜３ｍｍの幅及び１８ｍｍ〜２４ｍｍの長さを有する。
【０００９】
幾つかの実施形態においては、内外方向における前記第４のスロットと前記金属シェルの前記第１のエッジとの間の距離は、３ｍｍ〜６ｍｍであり、内外方向における前記第５のスロットと前記金属シェルの前記第１のエッジとの間の距離は、４ｍｍ〜９ｍｍであり、内外方向における前記第７のスロットと前記金属シェルの前記第１のエッジとの間の距離は、３ｍｍ〜６ｍｍであり、内外方向における前記第７のスロットと前記第６のスロットとの間の距離は、２ｍｍ〜４ｍｍである。
【００１０】
幾つかの実施形態においては、前記第７のスロットは、前記第２のスロットと前記第３のスロットとの間に配置され、第２の方向における前記第２のスロットから前記第７のスロットまでの距離は、３ｍｍ〜７ｍｍである。
【００１１】
幾つかの実施形態においては、前記励振シートは、Ｌ字形を有し、前記第１のスロットに対して垂直な第１の枝部及び前記第１の枝部に対して垂直な第２の枝部を含む。
【００１２】
幾つかの実施形態においては、前記第１の枝部は、２０ｍｍ〜３０ｍｍの長さ及び１ｍｍ〜３ｍｍの幅を有し、前記第２の枝部は、５ｍｍ〜１１ｍｍの長さ及び３ｍｍ〜７ｍｍの幅を有する。
【００１３】
幾つかの実施形態においては、前記第１の枝部の内側エッジは、内外方向において、前記第４のスロットの外側エッジと同一平面上にあり、前記第２の枝部の外側エッジは、前記第４のスロットの外側に配置され、前記第２の枝部の内側エッジは、前記第４のスロットの内側に配置され、第１の方向において、前記第２の枝部から前記第４のスロットの第２の端部までの距離は、９ｍｍ〜１５ｍｍである。
【００１４】
幾つかの実施形態においては、前記媒体充填層は、８３ｍｍ〜９３ｍｍの長さ、１１ｍｍ〜１５ｍｍの幅、及び９ｍｍ〜１５ｍｍの高さを有する。
幾つかの実施形態においては、前記複数のスロットは、第１のスロット〜第７のスロットを含み、前記第４のスロット、前記第１のスロット、及び前記第５のスロットは、第１の共振分岐を形成し、前記第１の共振分岐は、第１の共振点を生成し、前記第１の共振点は、低周波数共振帯（７０４ＭＨｚ〜９６０ＭＨｚ）をカバーし；前記第６のスロットは、第２の共振分岐を形成し、前記第２の共振分岐は、第２の共振点を生成し；前記第７のスロットは、第３の共振分岐を形成し、前記第３のスロットは、第４の共振分岐を生成し、前記第３の共振分岐及び前記第４の共振分岐は、第３の共振点を生成し、前記第２の共振点及び前記第３の共振点は、共に高周波数帯（１７１０ＭＨｚ〜２６９０ＭＨｚ）をカバーする。
【００１５】
本開示の第２の態様の実施形態は、金属シェルと；前記金属シェル上に配置された表示スクリーンと；本開示の前記実施形態に係るアンテナとを含む電子デバイスを提供する。
【００１６】
本開示の実施形態に係る電子デバイスでは、前記金属シェルの下面に前記媒体充填層を配置し、前記複数のスロット中に前記媒体充填層の前記充填部分を充填することで、前記電子デバイスの外観が前記スロット群の前記複数のスロットによって影響されることがないことを保証し、それによって前記アンテナは、実際の製品に用いられることができる。更に、前記媒体充填層は、前記励振シートを担持することができ、それによって、前記アンテナの構造をより合理的にすることができる。更に、前記放射面として、前記電子デバイスの前記金属シェルを用いることで、前記アンテナの信号を遮蔽することがなく、それによって前記アンテナの使用空間を改善する。前記金属シェルの下面に前記励振シートを配置することで、前記アンテナの性能を効果的に改善することができ、前記アンテナは、複数の周波数帯をカバーすることができる。
【００１７】
幾つかの実施形態においては、前記電子デバイスは、ラップトップ又はタブレットＰＣを含む。
【００１８】
本開示の実施形態の追加の態様及び利点は、以下の記載において、部分的に示され、下記記載において部分的に明らかとなる、又は本開示の実施形態の実施から理解されるであろう。
【図面の簡単な説明】
【００１９】
本開示の実施形態のこれら及びその他の態様及び利点は、添付の図面を参照してなされた下記記載から明らかとなり、より容易に理解されるであろう。
【００２０】
【図１】図１は、本開示の実施形態に係る電子デバイスの概略図である。
【００２１】
【図２】図２は、本開示の実施形態に係る電子デバイスのアンテナの背面図である。
【００２２】
【図３】図３は、本開示の実施形態に係る電子デバイスのアンテナの正面図である。
【００２３】
【図４】図４は、本開示の実施形態に係る媒体充填層を有さないアンテナの正面図である。
【００２４】
【図５】図５は、本開示の実施形態に係るアンテナの媒体充填層の概略図である。
【００２５】
【図６】図６は、本開示の実施形態に係る電子デバイスのアンテナの断面図である。
【００２６】
【図７】図７は、本開示の実施形態に係るアンテナ整合回路網の概略図である。
【００２７】
【図８】図８は、本開示の実施形態に係るアンテナの周波数帯の概略図である。
【発明を実施するための形態】
【００２８】
以下、本開示の実施形態について詳細に説明する。本開示の実施形態は、図面に示される。本明細書の全体に亘って、同一又は類似の要素及び同一又は類似の機能を有する要素は、同じ参照番号で表される。図面に関して本明細書に記載される実施形態は、説明的且つ例示的なものであり、本開示を限定するものではない。
【００２９】
様々な実施形態及び例が以下の記載に提供され、本開示の各種構造を実施する。本開示を簡単にするために、具体的な要素及び設定が記載される。しかしながら、これらの要素及び設定は、単なる例であり、本開示を限定することを意図するものではない。更に、参照番号は、本開示における異なる例で繰り返し用いることができる。この繰り返しは、単純化及び明瞭化を目的とするものであって、異なる実施形態及び／又は設定間の関係について言及するものではない。更に、種々のプロセス及び材料の例が本開示中に提供される。しかしながら、当業者であれば、他のプロセス及び／又は材料も適用できることを理解するであろう。更に、第１の部分が第２の部分「上」にある構造は、前記第１の部分が前記第２の部分に直接接する実施形態を含むことができ、前記第１の部分が前記第２の部分に直接接しないように、更なる部分が前記第１の部分と前記第２の部分との間に形成される実施形態も含むことができる。
【００３０】
本開示の記載において、特段の記載又は限定がない限り、「搭載された」、「接続された」、及び「連結された」の用語は、電子接続、機械接続、２つのエレメント間の内部通信、反転構造を通した直接接続又は間接接続など、広く理解することができることに留意すべきであり、当業者であれば、具体的な状況に応じて理解することができるであろう。
【００３１】
下記記載及び図面に関して、本開示の実施形態のこれら及びその他の態様が明らかとなるであろう。記載及び図面においては、幾つかの特定の実施形態は、本開示に係る実施形態の原理を示すために記載されるが、本開示に係る実施形態の範囲は、これらに限定されないことが理解されよう。それとは反対に、添付された特許請求の範囲の精神、原理、及び範囲から逸脱することなく、実施形態において、変更、代替、及び改変を行うことができる。
【００３２】
以下、図面を参照して、電子デバイス及び電子デバイスのアンテナについて詳細に説明する。
【００３３】
図１は、本開示の実施形態に係る電子デバイスの概略図である。図１に示されるように、電子デバイス１０は、金属シェル１０１、表示スクリーン１０３、及び前記金属シェル１０１によって形成される放射面１０２１を有するアンテナ１０２を含む。前記表示スクリーン１０３は、前記金属シェル１０１の上に配置される。
【００３４】
図２は、本開示の実施形態に係る電子デバイスのアンテナの背面図である。図３は、本開示の実施形態に係る電子デバイスのアンテナの正面図である。図４は、本開示の実施形態に係る媒体充填層を有さないアンテナの正面図である。図５は、本開示の実施形態に係るアンテナの媒体充填層の概略図である。図２〜図５に示されるように、前記電子デバイス１０の前記アンテナ１０２は、前記放射面１０２１、媒体充填層１０２３、及び励振シート１０２４を含む。前記放射面１０２１は、前記金属シェル１０１によって形成され、前記金属シェル１０１の上下方向に貫通されたスロット群を有し、前記スロット群は、複数のスロットを含む。前記媒体充填層１０２３は、ボディ部分１０２３１及び複数の充填部分１０２３２を含み、前記ボディ部分１０２３１は、前記金属シェル１０１の下面に配置され、前記充填部分１０２３２は、前記ボディ部分１０２３１の上面に配置され、それぞれ、前記複数のスロット中に充填される。前記励振シート１０２４は、前記媒体充填層１０２３の下面に配置される。
【００３５】
本開示の実施形態に係る前記電子デバイス１０の前記アンテナ１０２では、前記金属シェル１０１の下面に前記媒体充填層１０２３を配置し、前記複数のスロット中に前記媒体充填層１０２３の前記充填部分１０２３２を充填させることで、前記電子デバイス１０の外観が前記スロット群の前記複数のスロットによって影響されないことを保証し、それによって前記アンテナ１０２が実際の製品に用いられることができる。更に、前記媒体充填層１０２３は、前記励振シート１０２４を担持することができ、それによって、前記アンテナ１０２の構造をより合理的にすることができる。更に、前記放射面として、前記電子デバイス１０の前記金属シェル１０１を用いることで、前記アンテナ１０２の信号を遮蔽することがなく、それによって前記アンテナ１０２の使用空間を改善する。前記金属シェル１０１の下面に前記励振シート１０２４を配置することで、前記アンテナ１０２の性能を効果的に改善することができ、前記アンテナ１０２は、複数の周波数帯をカバーすることができる。
【００３６】
実施形態においては、前記電子デバイス１０は、ラップトップ又はタブレットＰＣであることができる。前記スロット群は、前記表示スクリーン１０３の外側に配置されることができる。更に、前記スロット群は、前記金属シェル１０１のエッジに隣接することができ、それによって電子デバイスの構造をより合理的にすることができる。
【００３７】
図２及び図４（図４に示される電子デバイス１０は、前記媒体充填層１０２３を含まない）に示されるように、前記複数のスロットは、第１のスロット１０２２１、第２のスロット１０２２２、第３のスロット１０２２３、第４のスロット１０２２４、第５のスロット１０２２５、第６のスロット１０２２６、及び第７のスロット１０２２７を含む。即ち、前記スロット群は、前記第１のスロット１０２２１、前記第２のスロット１０２２２、前記第３のスロット１０２２３、前記第４のスロット１０２２４、前記第５のスロット１０２２５、前記第６のスロット１０２２６、及び前記第７のスロット１０２２７を含む。前記第１のスロット１０２２１、前記第２のスロット１０２２２、及び前記第３のスロット１０２２３は、前記金属シェル１０１の内外方向Ａに延び、それぞれ、前記金属シェル１０１の第１のエッジ１０１１に対して垂直であり、前記第２のスロット１０２２２の外側端部及び前記第３のスロット１０２２３の外側端部はいずれも、開放しており、前記第４のスロット１０２２４、前記第５のスロット１０２２５、前記第６のスロット１０２２６、及び前記第７のスロット１０２２７は、それぞれ、前記第２のスロット１０２２２に対して垂直である。前記第１のエッジ１０１１は、外側にある前記金属シェル１０１のエッジである。
【００３８】
前記第４のスロット１０２２４の第１の端部は、前記第１のスロット１０２２１の外側端部と接続し、前記第４のスロット１０２２４は、前記第１のスロット１０２２１の外側端部から前記金属シェル１０１の第１の方向に延びている。前記第５のスロット１０２２５の第１の端部は、前記第１のスロット１０２２１の内側端部と接続し、前記第５のスロット１０２２５は、前記第１のスロット１０２２１の内側端部から前記金属シェルの第１の方向とは反対の金属シェルの第２の方向に延びている。言い換えれば、前記第４のスロット１０２２４及び前記第５のスロット１０２２５は、前記第１のスロット１０２２１の外側及び内側端部からそれぞれ逆方向に延びている。前記第６のスロットの第１の端部は、前記第２のスロット１０２２２の内側端部と接続し、前記第６のスロット１０２２６は、前記第２のスロット１０２２２の内側端部から前記第２の方向に延びている。前記第７のスロット１０２２７の第１の端部は、前記第３のスロット１０２２３の内側端部と接続し、前記第７のスロット１０２２７は、前記第３のスロット１０２２３の内側端部から前記第１の方向に延びている。前記第１の方向とは、図１〜図５における前記金属シェル１０１の右方向及び左方向の一方であり、前記第２の方向とは、図１〜図５における前記金属シェルの前記右方向及び前記左方向のうちの他方である。即ち、前記第１の方向が右方向であれば、前記第２の方向は、左方向であり、前記第１の方向が左方向であれば、前記第２の方向は、右方向である。
【００３９】
したがって、前記電子デバイス１０の前記アンテナ１０２は、低周波数帯（７０４ＭＨｚ〜９６０ＭＨｚ）及び高周波数帯（１７１０ＭＨｚ〜２６９０ＭＨｚ）をカバーすることができ、それによって、前記アンテナ１０２を有する前記電子デバイス１０は、同時にＷＬＡＮ、２Ｇ、３Ｇ、及び４Ｇの通信条件を満たすことができる。
【００４０】
具体的には、前記第４のスロット１０２２４、前記第１のスロット１０２２１、及び前記第５のスロット１０２２５は、第１の共振分岐Ｌ１を形成し、前記第１の共振分岐Ｌ１は、第１の共振点を生成し、前記第１の共振点は、低周波共振帯（７０４ＭＨｚ〜９６０ＭＨｚ）をカバーする。前記第６のスロット１０２２６は、第２の共振分岐Ｌ２を形成し、前記第２の共振分岐Ｌ２は、第２の共振点を生成する。前記第７のスロット１０２２７は、第３の共振分岐Ｌ３を形成し、前記第３のスロット１０２２３は、第４の共振分岐Ｌ４を生成し、前記第３の共振分岐Ｌ３及び前記第４の共振分岐Ｌ４は、第３の共振点を生成する。前記第２の共振点及び前記第３の共振点は、共に高周波数帯（１７１０ＭＨｚ〜２６９０ＭＨｚ）をカバーする。
【００４１】
実施形態においては、前記第１のスロット１０２２１は、０．８ｍｍ〜３ｍｍの幅及び５ｍｍ〜９ｍｍの長さを有する。前記第２のスロット１０２２２は、０．８ｍｍ〜３ｍｍの幅及び６ｍｍ〜１０ｍｍの長さを有する。前記第３のスロット１０２２３は、０．８ｍｍ〜３ｍｍの幅及び５ｍｍ〜９ｍｍの長さを有する。前記第４のスロット１０２２４は、０．８ｍｍ〜３ｍｍの幅及び２５ｍｍ〜３５ｍｍの長さを有する。前記第５のスロット１０２２５は、０．８ｍｍ〜３ｍｍの幅及び２４．５ｍｍ〜３４．５ｍｍの長さを有する。前記第６のスロット１０２２６は、０．８ｍｍ〜３ｍｍの幅及び１９ｍｍ〜２５ｍｍの長さを有する。前記第７のスロット１０２２７は、０．８ｍｍ〜３ｍｍの幅及び１８ｍｍ〜２４ｍｍの長さを有する。したがって、前記アンテナ１０２の構造は、より合理的にすることができる。
【００４２】
更に、前記第１のスロット１０２２１の幅は、１．５ｍｍであり、前記第１のスロット１０２２１の長さは、７ｍｍである。前記第２のスロット１０２２２の幅は、１．５ｍｍであり、前記第２のスロット１０２２２の長さは、８ｍｍである。前記第３のスロット１０２２３の幅は、２ｍｍであり、前記第３のスロット１０２２３の長さは、７ｍｍである。前記第４のスロット１０２２４の幅は、１．５ｍｍであり、前記第４のスロット１０２２４の長さは、３０ｍｍである。前記第５のスロット１０２２５の幅は、３．８ｍｍであり、前記第５のスロット１０２２５の長さは、２９．５ｍｍである。前記第６のスロット１０２２６の幅は、１．５ｍｍであり、前記第６のスロット１０２２６の長さは、２２ｍｍである。前記第７のスロット１０２２７の幅は、１．５ｍｍであり、前記第７のスロット１０２２７の長さは、２１ｍｍである。したがって、前記アンテナ１０２の構造は、より合理的にすることができる。
【００４３】
本開示の実施形態においては、内外方向Ａにおける前記第４のスロット１０２２４と前記金属シェル１０１の前記第１のエッジ１０１１との間の距離は、３ｍｍ〜６ｍｍであり、内外方向Ａにおける前記第５のスロット１０２２５と前記金属シェル１０１の前記第１のエッジ１０１１との間の距離は、４ｍｍ〜９ｍｍであり、内外方向Ａにおける前記第７のスロット１０２２７と前記金属シェル１０１の前記第１のエッジ１０１１との間の距離は、３ｍｍ〜６ｍｍであり、内外方向Ａにおける前記第７のスロット１０２２７と前記第６のスロット１０２２６との間の距離は、２ｍｍ〜４ｍｍであり、それによって前記アンテナ１０２の構造は、より合理的にすることができる。
【００４４】
更に、内外方向Ａにおける前記金属シェル１０１の前記第１のエッジ１０１１と前記第４のスロット１０２２４との間の距離は、４．５ｍｍであり、内外方向Ａにおける前記金属シェル１０１の前記第１のエッジ１０１１と前記第５のスロット１０２２５との間の距離は、８ｍｍであり、内外方向Ａにおける前記金属シェル１０１の前記第１のエッジ１０１１と前記第７のスロット１０２２７との間の距離は、５ｍｍであり、内外方向Ａにおける前記第７のスロット１０２２７と前記第６のスロット１０２２６との間の距離は、３．５ｍｍであり、それによって前記アンテナ１０２の構造は、より合理的にすることができる。
【００４５】
図６は、本開示の実施形態に係る電子デバイスのアンテナの断面図である。具体的には、外側から前記電子デバイス１０の中心へ向かう方向が内側であり、前記電子デバイス１０の中心から外側へ向かう方向が外側であり、内外方向Ａは、図１〜４に示され、上下方向Ｂは、図６に示される。前記金属シェル１０１の前記第１のエッジ１０１１は、前記金属シェル１０１の前側のエッジであることができ、前記金属シェル１０１の前記第１のエッジ１０１１は、前記金属シェル１０１の左側のエッジ又は右側のエッジであることができる。第１の方向は、左方向であることができ、第２の方向は、右方向であることができ、左右方向Ｃは、図１〜４に示される。
【００４６】
図４に示されるように、本開示の実施形態においては、前記第７のスロット１０２２７は、前記第２のスロット１０２２２と前記第３のスロット１０２２３との間に配置され、第２の方向における前記第２のスロット１０２２２から前記第７のスロット１０２２７までの距離は、３ｍｍ〜７ｍｍであり、それによって前記アンテナ１０２の構造は、より合理的にすることができる。更に、左右方向Ｃにおいて、前記第７のスロット１０２２７は、前記第２のスロット１０２２２と前記第３のスロット１０２２３との間に配置される。
【００４７】
本開示の実施形態においては、前記媒体充填層１０２３は、８３ｍｍ〜９３ｍｍの長さ、１１ｍｍ〜１５ｍｍの幅、及び０．５ｍｍ〜１ｍｍの高さを有する。前記媒体充填層１０２３は、比誘電率が１〜３である材料で形成される。
【００４８】
更に、前記媒体充填層１０２３の長さは、８８ｍｍであり、前記媒体充填層１０２３の幅は、１３ｍｍであり、前記媒体充填層１０２３の高さは、０．５ｍｍである。前記媒体充填層１０２３は、比誘電率が３である材料で形成される。
【００４９】
図３及び図４に示されるように、前記励振シートは、Ｌ字形である。言い換えれば、前記励振シート１０２４は、第１の枝部１０２４１及び第２の枝部１０２４２を含み、前記第１の枝部１０２４１は、前記第２の枝部１０２４２に対して垂直である。前記第１の枝部１０２４１は、前記第１のスロット１０２２１に対して垂直であり、前記第２の枝部１０２４２は、前記第４のスロット１０２２４の上に配置され、前記第１の枝部１０２４１は、前記第４のスロット１０２２４の上に配置される。前記第１の枝部１０２４１は、２０ｍｍ〜３０ｍｍの長さ及び１ｍｍ〜３ｍｍの幅を有する。前記第２の枝部１０２４２は、５ｍｍ〜１１ｍｍの長さ及び３ｍｍ〜７ｍｍの幅を有する。したがって、前記アンテナ１０２の構造は、より合理的にすることができる。
【００５０】
更に、前記第１の枝部１０２４１の長さは、２５ｍｍであり、前記第１の枝部１０２４１の幅は、２ｍｍである。前記第２の枝部１０２４２の長さは、８ｍｍであり、前記第２の枝部１０２４２の幅は、５ｍｍである。したがって、前記アンテナ１０２の構造は、より合理的にすることができる。
【００５１】
図７は、本開示の実施形態に係るアンテナ整合回路網の概略図である。図７に示されるように、分配線が整合回路網と接続した後、ノードＤは、前記分配線のアクセスポイントであり、前記分配ケーブルの前記アクセスポイントは、前記アンテナ１０２の帯域幅に影響を及ぼすことがあり、前記整合回路網の使用で、７０４ＭＨｚ〜９６０ＭＨｚの周波数帯の性能を最適化する。
【００５２】
本開示の実施形態においては、内外方向Ａにおいて、前記励振シート１０２４の前記第１の枝部１０２４１の内側エッジは、前記第４のスロット１０２２４の外側エッジと同一平面上にあり、前記励振シート１０２４の前記第２の枝部１０２４２の外側エッジは、前記第４のスロット１０２２４の外側に配置され、前記第２の枝部１０２４２の内側エッジは、前記第４のスロット１０２２４の内側に配置され、第１の方向において、前記第２の枝部１０２４２から前記第４のスロット１０２２４の第２の端部（即ち、前記第１のスロット１０２２１から離れた前記第４のスロット１０２２４の端部）までの距離は、９ｍｍ〜１５ｍｍであり、それによって前記アンテナ１０２の構造は、より合理的にすることができる。
【００５３】
図８は、本開示の実施形態に係るアンテナの周波数帯の概略図である。図８に示されるように、前記電子デバイス１０の前記アンテナ１０２は、低周波数帯（７０４ＭＨｚ〜９６０ＭＨｚ）及び高周波数帯（１７１０ＭＨｚ〜２６９０ＭＨｚ）をカバーする。
【００５４】
「実施形態」、「幾つかの実施形態」、「１つの実施形態」、「他の例」、「例」、「具体的な例」、又は「幾つかの例」は、実施形態又は例に関連して記載される特定の部分、構造、材料、又は特徴が本開示の少なくとも１つの実施形態又は例中に含まれることを意味する。したがって、本明細書を通して様々な場所で記載される「幾つかの実施形態においては」、「１つの実施形態においては」、「実施形態においては」、「他の実施形態においては」、「例においては」、「具体的な例においては」、又は「幾つかの例においては」等の表現の出現は、必ずしも本開示の実施形態又は例と同じものを意味しているわけではない。更に、特定の部分、構造、材料、又は特徴は、１つ以上の実施形態又は例において任意の好適な方法で組合せてもよい。
【００５５】
説明的な実施形態を示し、記載してきたが、上記実施形態を本開示を限定するように解釈することはできないこと、及び、実施形態について、本開示の精神、原理、及び範囲から逸脱することなく、変更、代替、及び改変を行うことができることが当業者によって理解されよう。
【符号の説明】
【００５６】
１０        電子デバイス
１０１      金属シェル
１０２      アンテナ
１０３      表示スクリーン
１０１１    第１のエッジ
１０２１    放射面
１０２３    媒体充填層
１０２４    励振シート
１０２２１  第１のスロット
１０２２２  第２のスロット
１０２２３  第３のスロット
１０２２４  第４のスロット
１０２２５  第５のスロット
１０２２６  第６のスロット
１０２２７  第７のスロット
１０２３１  ボディ部分
１０２３２  充填部分
１０２４１  第１の枝部
１０２４２  第２の枝部
Ｌ１        第１の共振分岐
Ｌ２        第２の共振分岐
Ｌ３        第３の共振分岐
Ｌ４        第４の共振分岐
【図１】
0006360914.tif 000002
【図２】
0006360914.tif 000003
【図３】
0006360914.tif 000004
【図４】
0006360914.tif 000005
【図５】
0006360914.tif 000006
【図６】
0006360914.tif 000007
【図７】
0006360914.tif 000008
【図８】
0006360914.tif 000009